(57)【特許請求の範囲】
【請求項１】
首部として下から上に向かって径小部、径大部、キャップ用装着部を形成している容器を吊り下げた状態に保持するホルダ本体を有した容器保持装置において、
前記ホルダ本体は、前記首部を配置する空間部と、所定角度を保っている第１外壁及び第２外壁と、前記第１外壁に設けられて前記空間部に連通し、かつ前記首部の径大部より大きな大孔部と、前記第２外壁に設けられて前記空間部及び前記大孔部と連通し、かつ前記径小部と嵌合する小孔部と、前記大孔部と前記小孔部との間に設けられて、前記大孔部から前記小孔部への前記首部の移行を弾性変位により許容し、かつ前記容器を吊り下げた状態での移動を阻止する突起とを備えており、
前記首部を前記大孔部から前記空間部に挿入した状態で前記容器の角度を変えると前記首部の径小部が前記小孔部に嵌合して前記容器を吊り下げ可能となり、かつ、前記容器を吊り下げた状態から所定角傾けて前記首部を前記小孔部から前記大孔部へ移行すると引抜き可能となる、ことを特徴とする容器保持装置。
【請求項２】
前記大孔部は、前記容器を前記小孔部に前記首部を介して吊り下げた状態において、前記容器を平行移動したときに前記首部に装着されたキャップの上下部分と干渉して前記首部の抜け出しを規制する干渉規制部を有していることを特徴とする請求項１に記載の容器保持装置。
【請求項３】
前記ホルダ本体は、前記第２外壁に設けられて前記突起を弾性変位可能にしているスリットを有していることを特徴とする請求項１又は２に記載の容器保持装置。
【請求項４】
前記ホルダ本体は、収納用ケースに対し使用位置と非使用位置とに切換可能に組み付けられていることを特徴とする請求項１から３の何れかに記載の容器保持装置。
【請求項５】
前記ホルダ本体は、前記ケースの対応部に弾発係合して前記使用位置又は／及び前記非使用位置に保持する係合爪と、前記空間部に突設されて前記使用位置で前記係合爪の係合を前記容器を介して解除し難くする張出部とを有していることを特徴とする請求項４に記載の容器保持装置。
【請求項６】
前記ホルダ本体は、前記使用位置において、前記第１外壁が正面壁で、前記第２外壁が下面壁とすると、上面壁に設けられた引っ掛け用のフックを有し、前記フックが前記ホルダ本体の非使用位置で使用可能となることを特徴とする請求項４又は５に記載の容器保持装置。
【発明の詳細な説明】
【技術分野】
【０００１】
本発明は、首部付き容器を着脱可能に保持する容器保持装置のうち、特に容器を吊り下げた状態に保持するタイプの容器保持装置に関する。
【背景技術】
【０００２】
容器保持装置には、特許文献１〜３に例示されるごとく首部付き容器をホルダ本体に吊り下げた状態に保持するようにしたものがある。このうち、特許文献１の構造は、車体に対して略水平に配置される引出し式の板状部材を設ける点、前記板状部材に平面視略Ｕ字状の切欠きを設ける点、前記切欠きが容器の首部（径小部）を保持可能な孔部、及び該孔部に対して首部（径小部）を挿通可能な開口部からなる点、前記板状部材の上面に設けられて首部のフランジ部（径大部）を収容可能な段差部を有している点、前記孔部の出口側に設けられた脱落防止手段である突起を有している点を特徴としている。
【０００３】
特許文献２の構造は、車室内張などの壁に設けられた開口部を通じて内側（収納位置）及び外側（使用ないしは突出位置）へ移動可能に回転部材を設ける点、前記回転部材が前記壁に取り付けられて突出位置と収納位置との間で回動される第１回転部材、及び第１回転部材に回動自在に連結された第２回転部材からなる点、第２回転部材に設けられて首部の径小部と嵌合する略Ｕ字形の係合部、及び収納位置において壁の開口部を面一に閉鎖する化粧面を有している点を特徴としている。
【０００４】
特許文献３の構造は、上記特許文献１や２に比べ、半身不随の人や老人などでもペッドボトルを簡単に保持し運べるようにしたものである。構造特徴は、略Ｌ字形をなし、水平部分に鍔部ホルダを設けると共に鉛直部分を吊り下げ部に形成している点、鍔部ホルダ部が水平部分に第一穴部（首部の鍔部（径大部）より小さな穴）及び第二穴部（首部の鍔部より大きな穴）を連設した略だるま形の貫通穴からなる点、ペットボトルは首部を第二穴部から第一穴部に平行移動することで吊り下げた状態に保持される点にある。
【先行技術文献】
【特許文献】
【０００５】
【特許文献１】特開２００３−３２０８９１号公報
【特許文献２】特開２００６−２９００７９号公報
【特許文献３】特開２００８−４４６４６号公報
【発明の概要】
【発明が解決しようとする課題】
【０００６】
上記特許文献１〜３の各構造では、対象の容器が首部として下から上に向かって径小部、径大部、キャップ用装着部を形成しているタイプを想定したものであるが、自動二輪車、自動車、土木や農耕用作業車、船舶、飛行機などの乗物に設置して使用すると、吊り下げられていた容器が振動や衝撃荷重などを受けると外れて落下する虞があった。
【０００７】
詳述すると、特許文献１の場合は、容器が板状部材の孔部に吊り下げられた状態で走行振動や上下の衝撃を受けると、首部が孔部から浮き挙げられて、首部のフランジ部が段差部から外れると共に、突起の弾性変位を伴って孔部より外れる。突起の寸法は、大きいほど容器を外れ難くできるが、首部の径小部を孔部に嵌合し難くなるため自ずと制約される。特許文献２の場合は、容器が第２回転部材のＵ字形係合部に吊り下げられた状態で、走行振動や上下の衝撃を受けると、特許文献１のような突起を欠如しているため首部が係合部のＵ字形部から簡単に外れる。また、収納構造としては、部材数が多く複雑なものとなる。特許文献３の場合も同様であり、容器が鍔部ホルダ部の第一穴部に吊り下げられた状態で、走行振動や上下の衝撃を受けると、首部が第一穴部から大きな第二穴部へ平行移動して簡単に外れる。
【０００８】
本発明は以上のような課題を解決するものである。その目的は、簡単な構成により容器を吊り下げて保持でき、かつ、走行振動や上下の衝撃荷重を受けても不用意に外れないようにすることにある。他の目的は、収納構造を容易に採用可能にしたり、汎用性も得られるようにすることにある。
【課題を解決するための手段】
【０００９】
上記目的を達成するため本発明は、首部として下から上に向かって径小部、径大部、キャップ用装着部を形成している容器を吊り下げた状態に保持するホルダ本体を有した容器保持装置において、前記ホルダ本体は、前記首部を配置する空間部と、所定角度を保っている第１外壁及び第２外壁と、前記第１外壁に設けられて前記空間部に連通し、かつ前記首部の径大部より大きな大孔部と、前記第２外壁に設けられて前記空間部及び前記大孔部と連通し、かつ前記径小部と嵌合する小孔部と、前記大孔部と前記小孔部との間に設けられて、前記大孔部から前記小孔部への前記首部の移行を弾性変位により許容し、かつ前記容器を吊り下げた状態での移動を阻止する突起とを備えており、前記首部を前記大孔部から前記空間部に挿入した状態で前記容器の角度を変えると前記首部の径小部が前記小孔部に嵌合して前記容器を吊り下げ可能となり、かつ、前記容器を吊り下げた状態から所定角傾けて前記首部を前記小孔部から前記大孔部へ移行すると引抜き可能となることを特徴としている。
【００１０】
以上の本発明は、請求項２〜６のごとく具体化されることがより好ましい。すなわち、（１）前記大孔部は、前記容器を前記小孔部に前記首部を介して吊り下げた状態において、前記容器を平行移動したときに前記首部に装着されたキャップの上下部分と干渉して前記首部の抜け出しを規制する干渉規制部を有している構成である（請求項２）。
（２）前記ホルダ本体は、前記第２外壁に設けられて前記突起を弾性変位可能にしているスリットを有している構成である（請求項３）。
【００１１】
（３）前記ホルダ本体は、収納用ケースに対し使用位置と非使用位置とに切換可能に組み付けられている構成である（請求項４）。
（４）前記ホルダ本体は、前記ケースの対応部に弾発係合して前記使用位置又は／及び前記非使用位置に保持する係合爪と、前記空間部に突設されて前記使用位置で前記係合爪の係合を前記容器を介して解除し難くする張出部とを有している構成である（請求項５）。（５）前記ホルダ本体は、前記使用位置において、前記第１外壁が正面壁で、前記第２外壁が下面壁とすると、上面壁に設けられた引っ掛け用のフックを有し、前記フックが前記ホルダ本体の非使用位置で使用可能となる構成である（請求項６）。
【発明の効果】
【００１２】
請求項１の発明では、容器が首部をホルダ本体の大孔部から空間部に挿入し、角度を変えると、首部の径小部がホルダ本体の小孔部に嵌合して吊り下げ可能となり、また、容器が吊り下げられた状態から所定角傾けて首部を小孔部から大孔部へ移行すると引抜き可能となる。従って、本発明の容器保持装置では、従来の吊り下げ構造に比べ、容器が吊り下げられた垂直状態で大きな走行振動や上下の衝撃荷重を受けても、容器が垂直状態から所定角傾けられない限り引き抜き不能であり、容器が衝撃などで不用意に外れるという虞を解消できる。また、装置構造としては、ホルダ本体が首部を配置する空間部と、外壁構成として所定角度を保って設けられた第１外壁及び第２外壁を有し、大孔部と小孔部とをその第１外壁及び第２外壁に形成すればよいため構成簡易である。
【００１３】
また、以上の発明では、容器首部の径小部をホルダ本体の小孔部に嵌合して容器を吊り下げた状態で水平方向の移動を突起により阻止して容器を安定保持できる。
【００１４】
請求項２の発明では、第１外壁に設けられる大孔部として、容器を小孔部に首部を介して吊り下げた状態で、容器を平行移動したときに首部に装着されたキャップの上下部分と干渉して首部の抜け出しを規制する図４（ｂ）に例示されるような干渉規制部ｘを有しているだけでよいため簡易で実施容易である。また、請求項３の発明では、前記突起を弾性変位可能にする構成として簡易で実施容易である。
【００１５】
請求項４の発明では、図１〜図５や図７〜図１０に例示されるごとくホルダ本体が収納用ケースに対し使用位置と非使用位置とに切換可能に組み付けられているため、安全性及び高級感などを付与できる。
【００１６】
請求項５の発明では、特に、ホルダ本体が容器を吊り下げた状態で係合爪及び張出部を介してケースの使用位置に安定保持されるため、信頼性を付与できる。これに対し、請求項６の発明では、ホルダー本体が引っ掛け用のフックを有しているため、汎用性ないしは付加価値を付与できる。
【図面の簡単な説明】
【００１７】
【図１】第１形態の容器保持装置の取り付け状態を示し、（ａ）はホルダ本体の非使用位置での側面図、（ｂ）はホルダ本体の使用位置での側面図である。
【図２】（ａ）はホルダ本体の非使用位置での上記容器保持装置を示す斜視図、（ｂ）はホルダ本体の使用位置での上記容器保持装置を示す斜視図である。
【図３】上記容器保持装置の部材構成を示す概略分解斜視図である。
【図４】（ａ）から（ｃ）は上記容器保持装置を構成しているホルダ本体を示す側面図、Ａ矢印方向から見た正面図、Ｂ矢印方向から見た下面図である。
【図５】（ａ）から（ｃ）は上記容器保持装置を構成しているケースを示す側面図、（ａ）の右側から見た正面図、（ａ）の下側から見た下面図である。
【図６】第１形態の変形例を示し、（ａ）はホルダ本体の斜視図、（ｂ）はホルダ本体を図１（ｂ）に対応させた側面図である。
【図７】第２形態の容器保持装置を示し、（ａ）はホルダ本体の非使用位置／フックの非使用状態での斜視図、（ｂ）はホルダ本体の使用位置／フックの非使用状態での斜視図である。
【図８】上記容器保持装置のホルダ本体とケースとの関係を示す分解斜視図である。
【図９】（ａ）は上記容器保持装置のホルダ本体とフックとの関係を示す分解斜視図、（ｂ）はホルダ本体の非使用位置／フックの使用状態での斜視図である。
【図１０】第２形態の変形例を示し、（ａ）はホルダ本体をケースから突出した斜視図、（ｂ）は容器を吊り下げた状態での斜視図である。
【発明を実施するための形態】
【００１８】
以下、本発明の好適な形態について説明する。この説明では、対象の容器、各形態と変形例に共通した基本構造、図１〜図５に示した第１形態及び作動特徴、図６に示した第１形態の変形例、図７〜図９に示した第２形態及び作動特徴、図１０に示した第２形態の変形例の順に詳述する。
【００１９】
（対象の容器）まず、本発明の容器保持装置で保持される容器８としては、図１に示されるごとくペットボトルなどと称されている容器のうち、首部９（出入口を形成している箇所）構成として、下から上に向かって径小部９ａ、径大部９ｂ、キャップ用装着部９ｃを形成しているタイプである。径小部９ａは、首部９の下部つまり容器８の肩部の上側に位置している箇所である。径大部９ｂは、径小部９ａとキャップ用装着部９ｃとの間に設けられ、鍔部ないしはフランジ部とも称されている箇所である。キャップ用装着部９ｃは、通常、首部９の上周囲に設けられている雄ねじ又は雄ねじに類似した形状となっており、キャップ８ａが着脱される。
【００２０】
（基本構造）図面に開示した各容器保持装置６，６Ａ，６Ｂ，６Ｃは、上記した容器８を吊り下げた状態に保持するホルダ本体１，１Ａ，３，３Ａとして、次のような共通した構造を備えている。すなわち、ホルダ本体１，１Ａ，３，３Ａは、容器首部９を配置する空間部１０又は３０を有している点、外壁構成として所定角度を保って設けられた第１外壁１１又は３１及び第２外壁１３又は３３を有している点、前記第１外壁及び第２外壁が前記空間部に連通しかつ互いに連通形成された大孔部１５又は３５及び小孔部１６又は３６の異なる一方を有している点、大孔部１５又は３５の孔径が首部の径大部９ｂより大きく、小孔部１６又は３６の孔径が首部の径大部９ｂより小さく、かつ首部の径小部９ａより大きい点、首部９を前記大孔部から前記空間部に挿入した状態で容器８（又は図１０のごとくホルダ本体３Ａ）の角度を変えることで首部側径小部９ａを前記小孔部に嵌合して容器８を吊り下げ可能となる点、容器の吊り下げ状態から、容器８を所定角傾け（又は図１０のごとくホルダ本体３Ａ）て首部９が小孔部１６又は３６から大孔部１５又は３５へ移行されるようにすると引抜き可能となる点にある。
【００２１】
（第１形態）図１〜図５の容器保持装置６は、ホルダ本体１を収納用ケース２に対して使用位置と非使用位置とに回動切換可能に組み付けた構造であり、パネル７に開口された取付部７ａに装着されるようになっている。なお、ホルダ本体１及びケース２の材質は共に樹脂成形体であるが、樹脂以外でも差し支えない。パネル７は、自動二輪車のラジエタシュラウドやフレームカバーなどを想定したものである。但し、パネル７としては、自動二輪車に限られず、例えば自動車のインストルメントパネルやコンソール、座席、アームレストなどでも差し支えない。
【００２２】
ここで、ホルダ本体１は、図３及び図４のごとく内側を容器８の首部９を収容可能な空間部１０に形成しているブロック状をなし、正面壁１１、上面壁１２、下面壁１３、両側壁１４、及び背面壁で区画されている。このうち、空間部１０は、容器側首部９を余裕を持って収容する大きさからなる。空間部１０には、両側壁１４の内面にそれぞれ突出された張出部１４ｄが設けられている。両側の張出部１４ｄは、対向しており、後述する係合爪１４ｂがケース側の凹部２７ａと係合した状態（ケース２に対するホルダ本体１の使用位置）で、容器のキャップ８ａと当たることで係合爪１４ｂを撓みずらくして該係合爪１４ｂの係合を解除し難くする。同時に、張出部１４ｄは、その突出寸法の設定により、容器８が首部９の径小部９ａを小孔部１６に嵌合して吊り下げた状態で、その容器のキャップ８ａに当接して容器の揺動範囲を減じたり規制することも可能である。
【００２３】
正面壁１１及び下面壁１３は本発明の第１外壁と第２外壁に対応している。正面壁１１には空間部１０に連通した大孔部１５が設けられている。この大孔部１５は、首部９を空間部１０に軸線方向の移動により出没可能な大きさからなる。また、大孔部１５は、図４（ｂ）のごとく容器８を後述する小孔部１６に首部９を介して吊り下げた状態において、容器８を平行移動したときに首部９、この例では装着部９ｃに装着されたキャップ８ａの上下部分と干渉して抜け出しを規制する孔形状となっている。符号ｘはその干渉規制部である。
【００２４】
下面壁１３には、空間部１０及び大孔部１５に連通した小孔部１６と、大孔部１５と小孔部１６との間に突出された突起１６ａと、突起１６ａの弾性変位を容易にするスリット１３ａが設けられている。このうち、小孔部１６は接続溝部１７を介して大孔部１５と連通されている。接続溝部１７の幅寸法は、首部９の径大部９ｂより小さく、かつ径小部９ａより大きくなっている。各突起１６ａは小孔部１６が接続溝部１７と連通する箇所に突設されている。突起１６ａと突起１６ａとの間は、首部９の径小部９ａより小さな寸法となっている。スリット１３ａは、図４（ｃ）のごとく下面壁１３の両側に沿って上下貫通されており、首部９の径小部９ａが大孔部１５から接続溝部１７を通って小孔部１６に移動するときに突起１６ａを弾性変位し易くする。また、スリット１３ａは、径小部９ａが小孔部１６に嵌合して容器８を吊り下げた状態で水平方向の移動を阻止して容器を安定保持できるようにする。
【００２５】
両側壁１４は、上方で背面壁側に設けられている軸穴１４ａと、各軸穴１４ａの付近で外面に突設されている摺動凸部１４ｃと、一方外面（この例では左側壁）に突設されている係合爪１４ｂと、他方外面に（この例では右側壁）に突設されているホルダ本体１をケース２に収納した非使用位置に保つ保持凸部１８とを有している。各軸穴１４ａは同軸線上に設けられている。各摺動凸部１４ｃは、ホルダ本体１がケース２に対して良好に回動切り換えられるようケース２の対応部に点接触状態を形成する。係合爪１４ｂは、ホルダ本体１がケース２に対して使用位置に切り換えられたときに、ケース２の凹部２７ａと係合してホルダ本体１を使用位置に保持可能にする。保持凸部１８は、ホルダ本体１がケース２に対して収納されて非使用位置に切り換えられるときに、ケース２の対応部に当たってホルダ本体１が過剰にケース内に入り込まないようにする。なお、背面壁は、細部を省いたが、図４（ｃ）から推察されるごとく大きく開口されている。
【００２６】
これに対し、ケース２は、以上のホルダ本体１が図１（ａ）のごとく内部２０にほぼ収容される大きさからなり、全体が前端２１ａを縁取っている枠部２１と、枠部２１の後側に連結された上壁部２２及び下壁部２３、両側壁部２４、背面壁部２５とで区画形成されている。このうち、枠部２１は、パネル７の取付部側に対応した形状に設定され、一方側が幅広、他方側が幅細に形成されていると共に、前端面２ａが左右中間部を背面側に変位した形状となっている。符号２６と２６ａはシャフトＳ用の軸穴である。軸穴２６ａは、枠部２１の幅広の側壁内面に凹状に設けられており、シャフトＳの先端が係合される。軸穴２６は、軸穴２６ａと対向した他方の側壁部２４に貫通孔として設けられ、シャフトＳの基端側を挿通可能となっている。符号２７と２７ａは軸穴２６ａ，２６よりも下側に設けられた矩形穴である。矩形穴２７ａは、枠部２１の幅広の側壁内面に凹溝状に設けられており、上記係合爪１４ｂが係脱される。矩形穴７は、矩形穴７ａと対向した他方の側壁部２４に貫通形成された型抜き用である。
【００２７】
（作動特徴）以上のホルダ本体１は、ケース２に対し、一方軸穴２６、一方軸穴１４ａ、他方軸穴１４ａ、他方軸穴２６ａに挿通されるシャフトＳ、及び該シャフトＳの基端側に設けられている周回溝に係合される抜け止め用の止め輪Ｒを介して回動可能に組み付けられる。そして、容器保持装置６としては、ホルタ本体１が図１と図２の各（ｂ）のごとくケース２外へ大きく突出した使用位置と、図１と図２の各（ａ）のごとくケース内に収容された非使用位置とに回動切換可能となる。
【００２８】
（ア）この容器保持装置６は、非使用位置において、ホルダ本体１がケース２の内側に入り込むと共に、係合爪１４ｂがケースの側壁上端に係合することでホルダ本体１をその収納態様に保持している。外観は、ホルダ本体の小孔部１６及び大穴部１５が共に上から目視不能となると共に、上面壁１２がケース２の前開口にあって上下方向に配置されている。
【００２９】
（イ）以上の非使用位置から使用位置に切り換える場合は、図１（ａ）のごとくホルダ本体１を同図の矢印方向つまり外側へ回動操作する。すると、ホルダ本体１は、シャフトＳを支点として外側へ回動されながら、係合爪１４ｂがケース内側面を摺接しながら矩形穴２７ａと係合して使用位置に切り換えられる。使用位置では、ホルダ本体側小孔部１６が概略水平に配置され、大孔部１５が縦向きないしは斜めに配置され、係合爪１４ｂが矩形穴２７ａに係合されてホルダ本体１をその使用位置に保持している。
【００３０】
（ウ）以上の使用位置において、容器８を吊り下げる場合は、図１（ｂ）の矢印（１）つまり容器８を軸線方向（首部上端面の方向）へ移動しながら、容器の首部９をホルダ本体１の大孔部１５から空間部１０に挿入した後、容器８を矢印（２）つまり斜めから上下ないしは略垂直配置となるに移動する。すると、首部９は、径小部９ａが大孔部１５、接続溝部１７、小孔部１６に移行されて該小孔部と嵌合される。これにより、容器８は小孔部１６に吊り下げられる。その場合、径小部９ａが接続溝部１７から小孔部１６に移行する過程において、各突起１６ａは径小部９ａから受ける応力でスリット１３ａを介して突出量を減じるよう弾性変位し、径小部９ａが突起１６ａ同士の間を通過可能にし、かつ、通過完了と同時に元の状態に復元される。
【００３１】
（エ）容器８は、径小部９ａを小孔部１６に嵌合した状態で吊り下げられると、図４（ｃ）から分かるように、突起１６ａ同士の間が径小部９ａより狭くなっているため、突起１６ａに拘束され、空間部１０に突出された張出部１４ｄでキャップ８ａの揺動範囲を減じることも加わり、多少の振動を受けても不用意に動かない。これにより、この容器保持装置６ないしはホルダ本体１では容器８を安定保持できる。一方、容器を外す場合は、容器８が図１（ｂ）の吊り下げられた状態から、首部９を大孔部１５に挿入したときの角度、ないしはそれに近い角度まで容器８を傾斜した後、大孔部１５から引き抜くことになる。
【００３２】
（オ）ところで、容器８は、大きな走行振動や上下の衝撃荷重を受けることもあり、例えば突起１６ａないしはそれに類似のボトル脱落防止手段を有している構造であっても、突起同士の間を強制的に通過して外れ易かった。これに対し、以上の容器保持装置６ないしはホルダ本体１では、容器８が図１（ｂ）のごとく吊り下げられた垂直状態で、そのような大きな走行振動や上下の衝撃荷重を受けても、垂直状態から所定角、つまり首部９を大孔部１５に首部上端面側から挿入したときの傾き（図１（ｂ）の想像線で示された容器の傾き角度）、ないしはそれに近い角度まで傾斜されない限り、首部９ないしはキャップ８ａが大孔部１５の干渉規制部ｘに干渉するため引き抜き不能であり、それにより容器８が衝撃などで不用意に外れるという虞を確実に解消できる。
【００３３】
（変形例）図６は以上の第１形態の変形例を示している。この容器保持装置６Ａは、ケースを省略してホルダ本体１Ａの単一構成とした一例である。このため、この説明では、上記第１形態と同じ部材及び部位に同じ符号を付けて変更点だけを詳述する。図６（ａ）は図２（ｂ）と、図６（ｂ）は図１（ｂ）と対応させて示している。
【００３４】
ホルダ本体１Ａは、上記ホルダ本体１に比べ取付用の枠部１９を有している。枠部１９は、上記ケース２の枠部２１に相当する形状であり、ホルダ本体１Ａを構成している上面１２及び両側面１４に一体に形成されている。本発明の容器保持装置６Ａは、この変形例のごとくホルダ本体１Ａだけで構成することも可能で、製造費を抑えて簡易に実施可能なものである。
【００３５】
（第２形態）図７〜図９の容器保持装置６Ｂは、第１形態に比べ、シャフトＳ及び止め輪Ｒを用いることなくホルダ本体３を収納用ケース４に対して使用位置と非使用位置とに回動切換可能に組み付けた点と、ホルダ本体３に付設されたフック５を有している点で大きく相違している。
【００３６】
まず、ホルダ本体１は、図７及び図８のごとく内側を容器８の首部９を収容可能な空間部３０に形成しているブロック状をなし、正面壁３１、上面壁３２、下面壁３３、両側壁３４で区画されている。このうち、空間部３０は、容器側首部９を余裕を持って収容する大きさからなる。
【００３７】
正面壁３１及び下面壁３３は本発明の第１外壁と第２外壁に対応している。正面壁３１には空間部３０に連通した大孔部３５が設けられている。この大孔部３５は、首部９を空間部３０に軸線方向の移動により出没可能な大きさからなる。また、大孔部３５は、図７（ｂ）のごとく容器８を後述する小孔部１６に首部９を介して吊り下げた状態において、容器８を平行移動したときに首部９、この例では装着部９ｃに装着されたキャップ８ａの上下部分と干渉して抜け出しを規制する孔形状、つまり図示を省略したが第１形態の干渉規制部を有している。
【００３８】
上面壁３２には矩形の開口３２ａが中央部に設けられている。開口３２ａは、図９の状態で、中間部を横切るよう設けられた軸部３２ｂと、上内側に対向して設けられた小凸部３２ｃと、下辺の内縁部を広く形成した受け部３２ｄとを有しており、フック５が軸部３２ｂを支点として図７（ａ）の収納態様と図９（ｂ）の使用態様とに回動切換可能に取り付けられている。
【００３９】
このフック５は、図９（ａ）のごとく開口３２ａを閉じる大きさの本体５０からなり、本体５０の背面側に突出された長壁部５１と低壁部５２との間に形成されて袋などを引っ掛ける掛け部５３と、本体側部のうち、長壁部５１と低壁部５２との間にある側部分に設けられて小凸部３２ｃと係脱する小凹部５６と、長壁部５１の両側部に設けられて小凸部３２ｃと係脱する小凹部５７とを有している。また、フック５は、背面側にあって長壁部５１から下設された略Ｕ形の受部５４を有し、本体５０を開口３２ａに配置するときに、軸部３２ｂが受部５４の内側５５に嵌合されることで、軸部３２ｂを支点として収納態様と使用態様とに切り換えられる。そして、以上のフック５は、収納態様において小凸部３２ｃと係脱する小凹部５６との係合によりその状態を維持し、使用態様において小凸部３２ｃと小凹部５７との係合、及び本体５０の下端が受け部３２ｄに当接することによりその状態を維持するよう構成されている。
【００４０】
下面壁３３には、空間部３０及び大孔部３５に連通した小孔部３６と、大孔部３５と小孔部３６との間に突出された突起３６ａと、突起３６ａの弾性変位を容易にするスリット３３ａが設けられている。このうち、小孔部３６は接続溝部３７を介して大孔部３５と連通されている。接続溝部３７の幅寸法は、首部９の径大部９ｂより小さく、かつ径小部９ａより大きくなっている。各突起３６ａは小孔部３６が接続溝部３７と連通する箇所に突設されている。突起３６ａと突起３６ａとの間は、首部９の径小部９ａより小さな寸法となっている。スリット３３ａは、図８のごとく下面壁３３の両側に沿って上下貫通されており、首部９の径小部９ａが大孔部３５から接続溝部３７を通って小孔部３６に移動するときに突起３６ａを弾性変位し易くする。また、突起３６ａは、径小部９ａが小孔部３６に嵌合して容器８を吊り下げた状態で水平方向の移動を阻止して容器を安定保持できるようにする。
【００４１】
両側壁３４は、上方で上面壁３２側に設けられている軸部３４ａと、上方で下面壁３３側に設けられている係合爪３４ｃとを有している。両側の軸部３４ａは、同軸線上に設けられていると共に、突出端に略円盤状の抜け止め部を形成している。両側の係合爪３４ｃは、対向配置されていると共に、両側に設けられたスリット３４ｂの存在により弾性変位し易くなっている。なお、背面側は開口されている。
【００４２】
これに対し、ケース４は、以上のホルダ本体３が図７（ａ）のごとく内部４０にほぼ収容される大きさからなり、全体が前側を縁取っている枠部４１と、枠部４１の後側に連結された両側壁４２、背面壁４３とで区画形成されている。このうち、枠部４１は、不図示のパネルの取付部側に対応した形状に設定されている。両側壁４２は、下側の板幅を細めると共に、下端延長部を枠部４１の対応部に一体化している。両側壁４２には、上前側の軸穴４２ａと、２箇所の係合穴４４，４５とが対向して設けられている。各軸穴４２ａは、近くに設けられたスリット４２ｂにより弾性変位し易くなっている。各係合穴４４，４５は、上記した係合爪３４ｃが係脱する矩形の穴であり、軸穴４２ａを中心とした円周上で略９０度程度変位した箇所に設けられている。
【００４３】
（作動特徴）以上のホルダ本体３は、ケース４に対し、両側の軸部３４ａと軸穴４２ａとの嵌合を介して回動可能に組み付けられる。そして、容器保持装置６Ｂとしては、ホルダ本体３が図７（ｂ）のごとくケース４外へ大きく突出した使用位置と、図７（ａ）及び図９（ｂ）のごとくケース内に収容された非使用位置とに回動切換可能となる。
【００４４】
（ア）この容器保持装置６Ｂは、非使用位置において、ホルダ本体３がケース４の内側に入り込むと共に、係合爪３４ｃがケース上側の係合穴４４に係合することでホルダ本体３をその収納態様に保持している。外観は、ホルダ本体の小孔部３６及び大穴部３５が共に上から目視不能となると共に、上面壁３２がケース２の前開口にあって上下方向に配置されている。
【００４５】
（イ）以上の非使用位置から使用位置に切り換える場合は、第１形態の場合と同様に、ホルダ本体３を逆時計回りないしは外側へ回動操作する。すると、ホルダ本体３は、軸部３４ａを支点として外側へ回動されながら、係合爪３４ｃが係合穴４４から係合解除してケース内側面を摺接しながら下側の係合穴４５と係合して使用位置に切り換えられる。使用位置では、ホルダ本体側小孔部３６が概略水平に配置され、大孔部３５が縦向きないしは斜めに配置され、係合爪３４ｃが係合穴４５に係合されてホルダ本体３をその使用位置に保持している。
【００４６】
（ウ）以上の使用位置において、容器８を吊り下げる場合は、図７（ｂ）の矢印（１）つまり容器８を軸線方向（首部上端面の方向）へ移動しながら、容器の首部９をホルダ本体３の大孔部３５から空間部３０に挿入した後、容器８を矢印（２）つまり斜めから上下ないしは略垂直配置となるように移動する。すると、首部９は、径小部９ａが大孔部３５、接続溝部３７、小孔部３６に移行されて該小孔部と嵌合される。これにより、容器８は小孔部１６に吊り下げられる。この場合、径小部９ａが接続溝部３７から小孔部３６に移行する過程において、各突起３６ａは径小部９ａから受ける応力でスリット３３ａを介して突出量を減じるよう弾性変位し、径小部９ａが突起３６ａ同士の間を通過可能にし、かつ、通過完了と同時に元の状態に復元される。
【００４７】
（エ）容器８は、径小部９ａを小孔部１６に嵌合した状態で吊り下げられると、第１形態と同じく、突起３６ａ同士の間が径小部９ａより狭くなっているため、突起３６ａに拘束されて多少の振動を受けても不用意に動かない。これにより、この容器保持装置６Ｂないしはホルダ本体３では容器８を安定保持できる。一方、容器を外す場合は、容器８が図７（ｂ）の吊り下げられた状態から、首部９を大孔部３５に挿入したときの角度、ないしはそれに近い角度まで容器８を傾斜した後、大孔部３５から引き抜くことになる。
【００４８】
（オ）ところで、容器８は、大きな走行振動や上下の衝撃荷重を受けることもあり、例えば突起３６ａないしはそれに類似のボトル脱落防止手段を有している構造であっても、突起同士の間を強制的に通過して外れ易かった。これに対し、以上の容器保持装置６Ｂないしはホルダ本体３では、容器８が図７（ｂ）のごとく吊り下げられた垂直状態で、そのような大きな走行振動や上下の衝撃荷重を受けても、垂直状態から所定角、つまり首部９を大孔部３５に首部上端面側から挿入したときの傾き（図７（ｂ）の想像線で示された容器の傾き角度）、ないしはそれに近い角度まで傾斜されない限り、首部９ないしはキャップ８ａが大孔部３５の干渉規制部（第１形態の干渉規制部ｘと同じ箇所）に干渉するため引き抜き不能であり、それにより容器８が衝撃などで不用意に外れるという虞を確実に解消できる。
【００４９】
（カ）また、以上の容器保持装置６Ｂないしはホルダ本体３では、必要に応じてフック５を使用して洋服や袋などを吊り下げることができる。すなわち、フック５を使用する場合は、図７（ａ）の収納態様から、本体５０の下側を押し操作すると、図９（ｂ）の使用態様に切り換えられる。この切換過程では、まず、小凹部５６が小凸部３２ｃから係合解除する。その後、本体５０が軸部３４を支点として略９０度時計回りに回転されると、小凹部５７が小凸部３２ｃと係合し、本体５０が使用状態に保持される。また、フック５は、不要となったら逆方向へ反転することで収納態様に切り換えられる。
【００５０】
（変形例）図１０は以上の第２形態の変形例を示している。この容器保持装置６Ｃは、第２形態に比べ、小孔部３６を正面壁３１に設けると共に大孔部３５を下面壁３３に設けた点、フック５を省略している点で相違している。このため、この説明では、上記第２形態と同じ部材及び部位に同じ符号を付けて変更点だけを詳述する。図１０（ａ）は図７（ａ）と、図１０（ｂ）は図７（ａ）と対応させて示している。
【００５１】
以上の変形例の容器保持装置６Ｃにおいて、容器８を吊り下げる場合は、ホルダ本体３Ａをケース４から突出した図１０（ａ）の態様で、容器８を垂直ないしは上下に配置したまま、矢印（１）つまり容器８を真上へ移動しながら、容器の首部９をホルダ本体３の下面壁３３に設けられた大孔部３５から空間部３０に挿入した後、ホルダ本体３Ａを図１０（ｂ）の矢印２、つまり斜めから上下ないしは略垂直配置となるよう切り換える。すると、首部９は、径小部９ａが大孔部３５から正面壁３１の突起３６ａ同士の間を該突起の弾性変位を伴って小孔部３６へ移行されて嵌合される。これにより、容器８は小孔部１６に吊り下げられる。
【００５２】
また、容器８は、径小部９ａを小孔部１６に嵌合した状態で吊り下げられると、突起３６ａ同士の間が径小部９ａより狭くなっているため、突起３６ａに拘束されて、多少の振動を受けても不用意に動かない。これにより、この容器保持装置６Ｃないしはホルダ本体３Ａでも容器８を安定保持できる。一方、容器を外す場合は、例えば、容器８を片手で持った状態で、ホルダ本体３Ａをケース４から突出方向へ回転して図１０（ａ）の態様つまり小孔部３６が首部の小径部９ａから外れ、首部９が大孔部３５内に挿入されるため、容器８を下向きに移動して首部９を大孔部３５から引き抜くことになる。
【００５３】
なお、以上の各形態及び変形例は本発明を何ら制約するものでない。本発明は、これらを参考にして種々変形可能なものである。その一例は、以上の各形態では本発明装置を自動車や自動二輪車などの乗物用の容器保持装置を想定したが、その他の乗物として例えば土木や農耕用作業車、更には乗物以外の座席や家具などにも適用可能である。
【符号の説明】
【００５４】
１，１Ａ…ホルダ本体（１０は空間部）
２…ケース（２０は内部、２１は枠部、２６と２６ａは軸穴、２７ａは矩形穴）
３，３Ａ…ホルダ本体（３０は空間部、３２ａは開口、３２ｂは軸部）
４…ケース（４０は内部、４１は枠部、４２ａは軸穴、４４と４５は係合穴）
５…フック（５０は本体、５３は掛け部、５５は枢支部、）
６，６Ａ，６Ｂ，６Ｃ…容器保持装置
７…パネル（７ａは取付部）
８…ペットボトル等の容器（８ａはキャップ）
９…首部（９ａは径小部、９ｂは径大部、９ｃはキャップ用装着部）
１１…正面壁（第１外壁、１５は大孔部）
１３…下面壁（第２外壁、１３ａはスリット、１６は小孔部、１６ａは突起）
１４…側壁（１４ａは軸穴、１４ｂは係合爪、１４ｄは張出部）
３１…正面壁（第１外壁、３５は大孔部）
３２…上面壁（３２ａは開口、３２ｂは軸部）
３３…下面壁（第２外壁、３３ａはスリット、３６は小孔部、３６ａは突起）
３４…側壁（３４ａは軸部、３４ｃは係合爪）
Ｒ…止め輪
Ｓ…シャフト
ｘ…干渉規制部
【図１】
0005457169.tif 000002
【図２】
0005457169.tif 000003
【図３】
0005457169.tif 000004
【図４】
0005457169.tif 000005
【図５】
0005457169.tif 000006
【図６】
0005457169.tif 000007
【図７】
0005457169.tif 000008
【図８】
0005457169.tif 000009
【図９】
0005457169.tif 000010
【図１０】
0005457169.tif 000011